(57)【要約】【課題】太陽電池モジュールに取り付け可能な排水部材等を提供する。【解決手段】本排水部材は、太陽電池パネルと、前記太陽電池パネルの受光面の一部を覆うフランジを有するフレームと、を備えた太陽電池モジュールに取り付けられる排水部材であって、前記フランジとの間に間隙を形成して前記フランジを覆う導水部材と、前記導水部材と前記フレームとを接続するベース部材と、を有する。【選択図】図１
2015060888.tif 000002
【特許請求の範囲】
【請求項１】
太陽電池パネルと、前記太陽電池パネルの受光面の一部を覆うフランジを有するフレームと、を備えた太陽電池モジュールに取り付けられる排水部材であって、
前記フランジとの間に間隙を形成して前記フランジを覆う導水部材と、
前記導水部材と前記フレームとを接続するベース部材と、を有することを特徴とする排水部材。
【請求項２】
前記導水部材は、端部が前記フランジよりも前記太陽電池パネルの中央側に延出していることを特徴とする請求項１記載の排水部材。
【請求項３】
前記導水部材は、前記フレームの側面の少なくとも一部を覆うことを特徴とする請求項１又は２記載の排水部材。
【請求項４】
前記ベース部材は、前記導水部材と前記フランジとを接続することを特徴とする請求項１乃至３の何れか一項記載の排水部材。
【請求項５】
前記導水部材は、前記ベース部材と一体的に構成されることを特徴とする請求項１乃至４の何れか一項記載の排水部材。
【請求項６】
前記ベース部材は樹脂であり、前記導水部材は前記ベース部材を介して前記フレームに接着されることを特徴とする請求項１乃至５の何れか一項記載の排水部材。
【請求項７】
前記導水部材の前記フランジ側の部分は疎水性の材料により形成されていることを特徴とする請求項１乃至６の何れか一項記載の排水部材。
【請求項８】
前記フランジは、前記受光面に対して傾斜する傾斜面を有し、
前記導水部材は、前記傾斜面に沿って形成されることを特徴とする請求項１乃至７の何れか一項記載の排水部材。
【請求項９】
太陽電池パネルと、
前記太陽電池パネルの受光面の一部を覆うフランジを有するフレームと、を備え、
請求項１乃至８の何れか一項記載の排水部材が前記フレームに取り付けられた太陽電池モジュール。
【請求項１０】
前記排水部材が前記フレームの水下側に取り付けられた請求項９記載の太陽電池モジュール。
【発明の詳細な説明】
【技術分野】
【０００１】
本発明は、排水部材、及び排水部材が取り付けられた太陽電池モジュールに関する。
【背景技術】
【０００２】
一般的な太陽電池モジュールでは、太陽電池モジュールの端部を保護するために、太陽電池パネルの端部周囲に、フレームと呼ばれる枠材が取り付けられる。つまり、太陽電池モジュールからフレームを除いたものが太陽電池パネルである。なお、太陽電池パネルは、太陽電池素子とカバーガラスが封止材によって接着されたものである。
【０００３】
太陽電池パネルの端部周囲に取り付けられるフレームには、太陽電池パネルが差し込まれるための断面略コの字状の溝が形成されており、この溝に太陽電池パネルが差し込まれて太陽電池モジュールが形成される。又、このフレームは、太陽電池パネルの端部周囲の受光面、側面、及び裏面を覆い、太陽電池パネルの端部を保護する。
【０００４】
ここで、太陽電池モジュールは屋外に設置されるため、雨水が太陽電池モジュールの表面に溜まる場合がある。特に、太陽電池モジュールの設置角度が水平に近づくほど、雨水は溜まり易くなる。この原因としては、太陽電池モジュールの表面とフレームとの間に生じる段差部に雨水が溜まることが挙げられる。
【０００５】
太陽電池モジュールの表面に溜まった雨水が乾くと、太陽電池モジュール表面に雨汚れが残り、この雨汚れが太陽光を遮断し、結果、発電量低下につながるという問題がある。そこで、太陽電池モジュール表面に溜まる雨水を排水する方法として、太陽電池モジュールの表面側に位置するフレームに切欠きを設け、この切欠きを排水溝として機能させる構成が提案されている（例えば、特許文献１参照）。
【先行技術文献】
【特許文献】
【０００６】
【特許文献１】特開２０１１−１１４２５７号公報
【発明の概要】
【発明が解決しようとする課題】
【０００７】
しかしながら、上記のようにフレームに切欠きを設ける構成では、フレームの強度が弱くなるという問題がある。更に、フレームの製造工程において、切欠きを形成する工程が必要となり、フレームの製造コストが上昇するという問題がある。
【０００８】
本発明は、上記の点に鑑みてなされたものであり、太陽電池モジュールに取り付け可能な排水部材等を提供することを課題とする。
【課題を解決するための手段】
【０００９】
本排水部材は、太陽電池パネルと、前記太陽電池パネルの受光面の一部を覆うフランジを有するフレームと、を備えた太陽電池モジュールに取り付けられる排水部材であって、前記フランジとの間に間隙を形成して前記フランジを覆う導水部材と、前記導水部材と前記フレームとを接続するベース部材と、を有することを要件とする。
【発明の効果】
【００１０】
開示の技術によれば、太陽電池モジュールに取り付け可能な排水部材等を提供できる。
【図面の簡単な説明】
【００１１】
【図１】第１の実施の形態に係る太陽電池モジュールを例示する図である。
【図２】第１の実施の形態に係る排水部材を例示する図である。
【図３】第１の実施の形態に係る排水部材の効果を説明する図である。
【図４】第１の実施の形態に係る排水部材の変形例を示す図である。
【図５】排水部材を太陽電池モジュールに固定する方法を例示する図である。
【図６】第２の実施の形態に係る排水部材を例示する図である。
【図７】第３の実施の形態に係る排水部材を例示する図である。
【図８】第４の実施の形態に係る排水部材を例示する図である。
【図９】第５の実施の形態に係る排水部材を例示する図である。
【図１０】第６の実施の形態に係る排水部材を例示する図である。
【図１１】排水部材の取り付け位置の他の例を示す図である。
【発明を実施するための形態】
【００１２】
以下、図面を参照して発明を実施するための形態について説明する。なお、各図面において、同一構成部分には同一符号を付し、重複した説明を省略する場合がある。
【００１３】
〈第１の実施の形態〉
図１（ａ）は、第１の実施の形態に係る太陽電池モジュールを例示する平面図である。図１（ｂ）は、図１（ａ）のＡ−Ａ線に沿う部分拡大断面図である。図１（ａ）及び図１（ｂ）を参照するに、太陽電池モジュール１０は、太陽電池パネル２０と、フレーム３０とを有する。太陽電池モジュール１０のフレーム３０には、排水部材５０が取り付けられている。太陽電池モジュール１０は、例えば、矢印Ｃ方向に傾斜して設置される。以降、矢印ＣのＣ１側を水上方向、矢印ＣのＣ２側を水下方向と称する場合がある。
【００１４】
太陽電池パネル２０は、例えば、太陽電池素子が形成された基板の周囲を覆うようにＥＶＡ（Ethylene-vinyl acetate）等からなる封止材を設け、封止材の表面側（太陽電池素子側）に白板強化ガラス板等からなる保護部材を配置したものである。封止材の裏面側（保護部材とは反対側）に、アルミニウム箔やＰＥＴ樹脂等からなる保護シートが設けられる場合もある。
【００１５】
フレーム３０は、太陽電池パネル２０の端部周囲に枠状に取り付けられている。フレーム３０は、太陽電池パネル２０の強度を向上すると共に、太陽電池パネル２０の端部の受光面、側面、及び裏面を覆って太陽電池パネル２０の端部を保護する部材であり、例えば、金属や樹脂等で形成することができる。フレーム３０は、複数の部材から構成しても構わない。
【００１６】
フレーム３０は、断面形状が略Ｌ字状のフレーム本体３１と、フレーム本体３１の上端部（受光面側の端部）から同一方向に突起する支持部３２と、フランジ３３とを有する。なお、特に説明をしない場合には、『断面形状』とは、フレーム３０の長手方向に垂直な方向の断面を指すものとする。
【００１７】
フランジ３３は、太陽電池パネル２０の受光面の一部（周縁部）を覆っている。支持部３２とフランジ３３とで段面形状が略コの字状の溝部３０ｘを形成しており、フレーム３０全体としては断面形状が略Ｅ字状とされている。溝部３０ｘには、太陽電池パネル２０の端部が差し込まれている。
【００１８】
排水部材５０は、太陽電池モジュール１０に取り付けられており、太陽電池パネル２０の表面に溜まる雨水を排水する機能を有する。本実施の形態では、フレーム３０の水下側に２つの排水部材５０が取り付けられている。但し、太陽電池モジュール１０に取り付ける排水部材５０の数は任意に決定することができる。
【００１９】
排水部材５０は、ベース部材５１と、導水部材５２とを有する断面形状が略Ｌ字状の部材である。ベース部材５１は導水部材５２とフレーム３０とを接続する部材であり、導水部材５２は太陽電池パネル２０の受光面に溜まる雨水をフレーム３０外に導いて排水する部材である。
【００２０】
排水部材５０において、良好な排水を実現するために、少なくとも導水部材５２のフランジ３３側の部分は疎水性の材料により形成されていることが好ましい。排水部材５０の材料としては、例えば、樹脂や金属等を用いることができる。金属の場合はアルミニウム等の防錆の材質を用いることが好ましい。なお、硬化後の樹脂や金属は疎水性である。
【００２１】
ここで、図２を参照しながら、排水部材５０について詳しく説明する。図２（ａ）は、図１（ａ）のＢ部の部分斜視図である。図２（ｂ）は、フレーム３０と排水部材５０との接触状態を説明するための模式図である。
【００２２】
図２（ａ）及び図２（ｂ）を参照するに、排水部材５０において、断面形状が略Ｌ字状のベース部材５１の両側に、断面形状が略Ｌ字状の導水部材５２が夫々設けられている。ベース部材５１と導水部材５２とは、例えば、金属板のプレス加工や樹脂成型等により一体的に形成することができる。但し、ベース部材５１と導水部材５２とを別体として形成後、両者を接合して排水部材５０としてもよい。
【００２３】
ベース部材５１の内壁面（フレーム３０側の面）は、フレーム本体３１の外壁面（フレーム３０の側面）及びフランジ３３の外壁面（フレーム３０の上面）と接している。一方、導水部材５２の内壁面（フレーム３０側の面）とフレーム本体３１の外壁面及びフランジ３３の外壁面との間には間隙Ｓが形成されている。つまり、導水部材５２は、フランジ３３との間に間隙Ｓを形成してフランジ３３を覆っている。又、導水部材５２は、フレーム本体３１との間に間隙Ｓを形成してフレーム本体３１を覆っている。なお、導水部材５２は、フレーム本体３１（フレーム３０の側面）の全部ではなく、フレーム本体３１（フレーム３０の側面）の一部のみを覆うようにしてもよい。
【００２４】
ここで、比較例を示しながら、排水部材５０の奏する特有の効果について説明する。図３（ａ）は、比較例として太陽電池モジュール１０に排水部材５０を設けない場合（従来の太陽電池モジュールの例）を示している。図３（ａ）の場合、太陽電池パネル２０の受光面とフランジ３３との間に生じる段差部に雨水ＲＷが溜まる。雨水ＲＷは排水されないため、前述のように、雨水ＲＷが乾いて太陽電池パネル２０の表面に雨汚れが残り、この雨汚れが太陽光を遮断し、結果、発電量低下につながるという問題が生じる。
【００２５】
一方、本実施の形態では、図３（ｂ）に示すように、太陽電池モジュール１０に排水部材５０を設け、排水部材５０の導水部材５２の内壁面（フレーム３０側の面）とフレーム本体３１の外壁面及びフランジ３３の外壁面との間に間隙Ｓを形成している。間隙Ｓを形成することにより、図３（ｂ）の矢印で示すように、水の表面張力によって雨水ＲＷが間隙Ｓに吸い込まれ、間隙Ｓをつたってフレーム３０の外壁面に沿って排水される。
【００２６】
間隙Ｓは、水の表面張力によって雨水を吸い込む機能を有するため、適切な寸法に設定する必要がある。間隙Ｓを１〜５ｍｍ程度に設定すると好適である。なお、図２（ａ）の矢印も、図３（ｂ）の矢印と同様に、雨水がフレーム３０の外壁面に沿って排水される様子を模式的に示している。
【００２７】
このように、太陽電池モジュール１０に排水部材５０を設け、排水部材５０の導水部材５２の内壁面とフレーム３０の外壁面との間に間隙Ｓを形成することにより、水の表面張力によって雨水が間隙Ｓに吸い込まれて排水される。これにより、太陽電池パネル２０の表面に雨汚れが残り、この雨汚れが太陽光を遮断し、結果、発電量低下につながるという問題を回避できる。
【００２８】
又、本実施の形態では、排水部材５０をフレーム３０に取り付ける構成であり、フレーム３０に切欠き等を設けて排水溝として機能させる構成ではないため、フレーム３０の強度が弱くなるという問題や、フレーム３０の製造コストが上昇するという問題も生じない。
【００２９】
ところで、太陽電池モジュール１０に排水部材５０を設けなくてよい場合もある。例えば、太陽電池モジュール１０の設置角度が大きく、太陽電池パネル２０の表面の雨水が自然に流れる場合には排水部材５０を設けなくてよい。本実施の形態では、フレーム３０自体は加工していないため、排水部材５０を設けなくてよい場合にも同様のフレーム３０を用いることができる。すなわち、排水部材５０を設ける場合にも設けない場合にも共通のフレーム３０を使えるため、量産効果により、フレーム３０の低価格化に寄与できる。
【００３０】
なお、導水部材５２のフランジ３３と対向する部分の端部５２ａ（図１（ｂ）参照）は、フランジ３３の端部よりも太陽電池パネル２０の中央側に延出している（庇状に突起している）ことが好ましい。導水部材５２の端部５２ａがフランジ３３の端部よりも太陽電池パネル２０の中央側に延出していない場合よりも、導水部材５２の端部５２ａがフランジ３３の端部よりも太陽電池パネル２０の中央側に延出している方が、導水部材５２の端部５２ａが太陽電池パネル２０の表面に溜まった雨水に接触し易くなり、結果、溜まった雨水を導水部材５２が引き込み易くなるからである。
【００３１】
しかしながら、導水部材５２の端部５２ａがフランジ３３の端部よりも太陽電池パネル２０の中央側に延出していることは必須の要件ではなく、導水部材５２の端部５２ａがフランジ３３の端部よりも太陽電池パネル２０の中央側に延出していなくてもよい。導水部材５２の端部５２ａがフランジ３３の端部よりも太陽電池パネル２０の中央側に延出していない場合であっても、導水部材５２は、太陽電池モジュール２０上に溜まった雨水を排水する機能を有するからである。
【００３２】
具体的に説明すると、一定量の雨が降る降雨時では、太陽電池モジュール２０上に降った雨水は、フレーム３０のフランジ３３を乗り越えて、太陽電池モジュール２０の外に溢れ出る。本願の課題である雨水の溜まりは、降雨が止んだ後、太陽電池モジュール２０の表面から溢れ出なかった雨水が溜まることで発生する。従って、導水部材５２の端部５２ａがフランジ３３の端部よりも太陽電池パネル２０の中央側に延出していなくとも、降雨時では、導水部材５２が溢れ出た雨水を導水しており、降水が止んだ後でも、太陽電池モジュール２０上の雨水は、導水部材５２が導水している雨水の表面張力を利用して、太陽電池モジュール２０外へ排水される。
【００３３】
又、フランジ３３が太陽電池パネル２０の受光面に対して傾斜する傾斜面を有する場合には、図４に示すように、導水部材５２の端部のフランジ３３と対向する部分をフランジ３３の傾斜面に沿って太陽電池パネル２０側に屈曲させ、導水部材５２全体において間隙Ｓを略一定とすることが好ましい。表面張力によって雨水を間隙Ｓに吸い込む機能を向上させるためである。但し、導水部材５２を太陽電池パネル２０側に屈曲させる場合は、導水部材５２と太陽電池パネル２０との間に所定の間隙を設ける必要がある。
【００３４】
ここで、排水部材５０をフレーム３０に固定する方法について説明する。排水部材５０は、例えば、図５に示すように、固定部材６０を用いてフレーム３０に固定することができる。固定部材６０は、断面形状が略コの字状の部材であり、主に排水部材５０のベース部材５１上に配置されている。固定部材６０の上部には、ナットとして機能するねじ穴６５が形成されている。ベース部材５１をフレーム３０と固定部材６０とで挟み込み、ねじ穴６５にねじ７０を螺合してねじ７０の先端部でベース部材５１をフレーム３０側に押圧することで、排水部材５０をフレーム３０に固定することができる。
【００３５】
但し、排水部材５０をフレーム３０に固定する方法は図５には限定されず、他の方法を用いても構わない。例えば、固定部材６０を用いずに、排水部材５０のベース部材５１をフレーム３０に接着する方法を用いても構わない。
【００３６】
〈第２の実施の形態〉
第２の実施の形態では、排水部材の他の例を示す。なお、第２の実施の形態において、既に説明した実施の形態と同一構成部についての説明は省略する。
【００３７】
図６（ａ）は、排水部材５０Ａを例示する斜視図であり、図２（ａ）の部分斜視図に対応する図である。図６（ｂ）は、フレーム３０と排水部材５０Ａとの接触状態を説明するための模式図である。図６（ａ）及び図６（ｂ）を参照するに、排水部材５０Ａにおいて、断面形状が略Ｌ字状のベース部材５１Ａ上に、断面形状が略Ｌ字状でベース部材５１Ａよりも幅広の導水部材５２Ａが設けられている。
【００３８】
導水部材５２Ａは、ベース部材５１Ａを介してフレーム３０に接着されている。より詳しくは、ベース部材５１Ａは、例えばブチルゴムやシリコーンゴム等の樹脂から構成されており、ベース部材５１Ａの内壁面（フレーム３０側の面）は、フレーム３０の外壁面に接着されている。導水部材５２Ａのベース部材５１Ａと接する部分は、ベース部材５１Ａと接着されている。導水部材５２Ａの両側はベース部材５１Ａから突起しており、導水部材５２Ａのベース部材５１Ａから突起する部分の内壁面（フレーム３０側の面）とフレーム３０の外壁面との間には間隙Ｓが形成されている。
【００３９】
なお、本実施の形態では、ベース部材５１Ａは、導水部材５２Ａとフレーム本体３１、及び、導水部材５２Ａとフランジ３３とを接続しているが、何れか一方のみとしてもよい。つまり、ベース部材５１Ａは、導水部材５２Ａとフレーム本体３１のみとを接続してもよいし、導水部材５２Ａとフランジ３３のみとを接続してもよい。この場合、ベース部材５１Ａの断面形状は略Ｌ字状ではなく、例えば、略矩形状となる。又、ベース部材５１Ａを連続した一つの部材とせず、飛び石状に配置してもよい。
【００４０】
このように、排水部材５０に代えて排水部材５０Ａを用いても、第１の実施の形態と同様の効果を奏する。なお、導水部材５２Ａは、ベース部材５１Ａを構成する樹脂自体が有する接着性を利用してフレーム３０に接着してもよいし、ベース部材５１Ａの両面に接着剤を塗布したり接着フィルムを貼付したりして接着してもよい。
【００４１】
〈第３の実施の形態〉
第３の実施の形態では、排水部材の他の例を示す。なお、第３の実施の形態において、既に説明した実施の形態と同一構成部についての説明は省略する。
【００４２】
図７（ａ）は、排水部材５０Ｂを例示する斜視図であり、図２（ａ）の部分斜視図に対応する図である。図７（ｂ）は、フレーム３０と排水部材５０Ｂとの接触状態を説明するための模式図である。図７（ａ）及び図７（ｂ）を参照するに、排水部材５０Ｂにおいて、断面形状が略Ｌ字状のベース部材５１Ｂの長手方向の略中央部に、フレーム３０の長手方向に平行な方向の断面形状が略半円状の導水部材５２Ｂが設けられている。つまり、導水部材５２Ｂを挟んで両側にベース部材５１Ｂが存在している。導水部材５２Ｂの内壁面（フレーム３０側の面）とフレーム３０の外壁面との間には間隙Ｓが形成されている。
【００４３】
排水部材５０Ｂは、例えば、導水部材５２Ｂの両側のベース部材５１Ｂ上に夫々第１の実施の形態で示した固定部材６０を配置し、ベース部材５１Ｂをフレーム３０と固定部材６０とで挟み込み、ねじを用いて固定することができる。或いは、例えば、固定部材６０を用いずに、ベース部材５１Ｂをフレーム３０に接着しても構わない。
【００４４】
このように、排水部材５０に代えて排水部材５０Ｂを用いても、第１の実施の形態と同様の効果を奏する。なお、導水部材５２Ｂのフレーム３０の長手方向に平行な方向の断面形状は略半円状でなくてもよく、例えば略矩形状でもよいし、より複雑な形状であってもよい。又、導水部材５２Ｂを複数個設けてもよい。
【００４５】
〈第４の実施の形態〉
第４の実施の形態では、排水部材の他の例を示す。なお、第４の実施の形態において、既に説明した実施の形態と同一構成部についての説明は省略する。
【００４６】
図８は、排水部材５０Ｃを例示する斜視図であり、図２（ａ）の部分斜視図に対応する図である。図８を参照するに、排水部材５０Ｃは、断面形状が排水部材５０（図２参照）と同様の部材をフランジ３３上のみに設けたものである。つまり、排水部材５０Ｃにおいて、ベース部材５１Ｃの両側に導水部材５２Ｃが夫々設けられている。
【００４７】
ベース部材５１Ｃの内壁面（フレーム３０側の面）は、フレーム３０のフランジ３３の外壁面と接している。一方、導水部材５２Ｃの内壁面（フレーム３０側の面）とフレーム３０のフランジ３３の外壁面との間には間隙Ｓが形成されている。
【００４８】
排水部材５０Ｃは、ベース部材５１Ｃをフレーム３０と所定形状の固定部材とで挟み込み、ねじを用いて固定することができる。或いは、例えば、固定部材を用いずに、ベース部材５１Ｃをフレーム３０に接着しても構わない。
【００４９】
このように、排水部材５０に代えて排水部材５０Ｃを用いても、第１の実施の形態と同様の効果を奏する。但し、第１の実施の形態で示した排水部材５０のように、断面形状が略Ｌ字状の部材を用いて、フレーム３０のフレーム本体３１の外壁面との間にも間隙Ｓを形成する方が、より高い排水機能を実現できる。これは、断面形状が略Ｌ字状の部材を用いることにより、フレーム本体３１の外壁面と導水部材５２との間に流れる雨水の自重と表面張力によって、フランジ３３と導水部材５２との間に流れる雨水が引っ張られ、結果、より高い排水機能を実現できるためである。
【００５０】
〈第５の実施の形態〉
第５の実施の形態では、排水部材の他の例を示す。なお、第５の実施の形態において、既に説明した実施の形態と同一構成部についての説明は省略する。
【００５１】
図９は、排水部材５０Ｄを例示する斜視図であり、図２（ａ）の部分斜視図に対応する図である。図９を参照するに、排水部材５０Ｄは、断面形状が排水部材５０Ａ（図６参照）と同様の部材をフランジ３３上のみに設けたものである。つまり、排水部材５０Ｄにおいて、平板状のベース部材５１Ｄ上に、平板状でベース部材５１Ｄよりも幅広の導水部材５２Ｄが設けられている。
【００５２】
導水部材５２Ｄは、ベース部材５１Ｄによってフレーム３０のフランジ３３に接着されている。より詳しくは、ベース部材５１Ｄは、例えばブチルゴムやシリコーンゴム等の接着性樹脂から構成されており、ベース部材５１Ｄの内壁面（フレーム３０側の面）は、フレーム３０のフランジ３３の外壁面に接着されている。導水部材５２Ｄのベース部材５１Ｄと接する部分は、ベース部材５１Ｄと接着されている。導水部材５２Ｄの両側はベース部材５１Ｄから突起しており、導水部材５２Ｄのベース部材５１Ｄから突起する部分の内壁面（フレーム３０側の面）とフレーム３０のフランジ３３の外壁面との間には間隙Ｓが形成されている。
【００５３】
このように、排水部材５０Ａに代えて排水部材５０Ｄを用いても、第２の実施の形態と同様の効果を奏する。但し、第２の実施の形態で示した排水部材５０Ａのように、断面形状が略Ｌ字状の部材を用いて、フレーム３０のフレーム本体３１の外壁面との間にも間隙Ｓを形成する方が、より高い排水機能を実現できる。これも、第４の実施の形態において述べたとおり、断面形状が略Ｌ字状の部材を用いることにより、フレーム本体３１の外壁面と導水部材５２との間に流れる雨水の自重と表面張力によって、フランジ３３と導水部材５２との間に流れる雨水が引っ張られ、結果、より高い排水機能を実現できるためである。
【００５４】
〈第６の実施の形態〉
第６の実施の形態では、排水部材の他の例を示す。なお、第６の実施の形態において、既に説明した実施の形態と同一構成部についての説明は省略する。
【００５５】
図１０は、排水部材５０Ｅを例示する斜視図である。図１０を参照するに、排水部材５０Ｅは、図６に示したベース部材５１Ａを２個と、断面形状が略Ｌ字状でベース部材５１Ａよりも幅広の導水部材５２Ｅとを有する。排水部材５０Ｅにおいて、ベース部材５１Ａは所定の間隔で２つ配置され、夫々のベース部材５１Ａ上に導水部材５２Ｅがフレーム３０の水下側の一辺全てを覆うように設けられている。
【００５６】
導水部材５２Ｅは、２つのベース部材５１Ａによってフレーム３０に接着されている。導水部材５２Ｅのベース部材５１Ａと接していない部分の内壁面（フレーム３０側の面）とフレーム３０の外壁面との間には間隙Ｓが形成されている。
【００５７】
このように、排水部材５０Ａに代えて排水部材５０Ｅを用いても、第２の実施の形態と同様の効果を奏する。なお、排水部材５０、５０Ｂ、５０Ｃ、又は５０Ｄを、フレーム３０の水下側の一辺全てに設けても構わない。
【００５８】
〈第７の実施の形態〉
第７の実施の形態では、排水部材の取り付け位置の他の例を示す。なお、第７の実施の形態において、既に説明した実施の形態と同一構成部についての説明は省略する。
【００５９】
図１（ａ）では、排水部材５０をフレーム３０の水下側に取り付ける例を示した。しかし、排水部材５０の取り付け位置はフレーム３０の水下側には限定されない。例えば、図１１に示すように、排水部材５０をフレーム３０の両サイド（フレーム３０の矢印Ｃと略平行な部分）の対向する位置に取り付けてもよい。但し、この場合は、雨水が溜まる部分に近接した位置に取り付ける必要がある。すなわち、なるべく水下側に近接した位置に取り付ける必要がある。
【００６０】
以上、好ましい実施の形態について詳説したが、上述した実施の形態に制限されることはなく、特許請求の範囲に記載された範囲を逸脱することなく、上述した実施の形態に種々の変形及び置換を加えることができる。
【００６１】
例えば、各実施の形態の記載内容は適宜組み合わせることができる。例えば、第２から第６の実施の形態において、導水部材のフランジと対向する部分の端部をフランジの端部よりも太陽電池パネルの中央側に延出させてもよい。又、フランジが太陽電池パネルの受光面に対して傾斜する傾斜面を有する場合には、導水部材の端部のフランジと対向する部分をフランジの傾斜面に沿って太陽電池パネル側に屈曲させ、導水部材全体において間隙を略一定としてもよい。
【符号の説明】
【００６２】
１０  太陽電池モジュール
２０  太陽電池パネル
３０  フレーム
３０ｘ  溝部
３１  フレーム本体
３２  支持部
３３  フランジ
５０、５０Ａ、５０Ｂ、５０Ｃ、５０Ｄ、５０Ｅ  排水部材
５１、５１Ａ、５１Ｂ、５１Ｃ、５１Ｄ  ベース部材
５２、５２Ａ、５２Ｂ、５２Ｃ、５２Ｄ、５２Ｅ  導水部材
５２ａ  導水部材の端部
６０  固定部材
６５  ねじ穴
７０  ねじ
ＲＷ  雨水
Ｓ  間隙
【図１】
2015060888.tif 000003
【図２】
2015060888.tif 000004
【図３】
2015060888.tif 000005
【図４】
2015060888.tif 000006
【図５】
2015060888.tif 000007
【図６】
2015060888.tif 000008
【図７】
2015060888.tif 000009
【図８】
2015060888.tif 000010
【図９】
2015060888.tif 000011
【図１０】
2015060888.tif 000012
【図１１】
2015060888.tif 000013